(57)【要約】【課題】居室の雰囲気に合いインテリア足り得るものであって、掴み易いカートンカバーを提供すること。【解決手段】カートンの外面を覆うカートンカバーであって、開口を有する天面部、一対の長手側面部、及び一対の短手側面部で構成され、短手側面部１４，１５の下端に突出爪６を備え、短手側面部１４，１５の内面に内反し７を備えるカートンカバー１０の提供による。【選択図】図４
2008207833.tif 000002
【特許請求の範囲】
【請求項１】
カートンの外面を覆うカートンカバーであって、
開口を有する天面部、一対の長手側面部、及び一対の短手側面部で構成され、その一対の長手側面部及び一対の短手側面部のうち、少なくとも何れかの下端に、突出爪を備えるカートンカバー。
【請求項２】
前記突出爪が、長手側面部又は短手側面部毎に複数備わる請求項１に記載のカートンカバー。
【請求項３】
前記一対の長手側面部及び一対の短手側面部のうち、少なくとも前記突出爪を備えるものが、その下側で内側に折り込まれた折込部と、外側に現れている外面部と、を備える複層構造を有し、
前記折込部を伸ばし開き、前記折込部と外面部とで一平面を形成したときの、前記折込部と外面部との境界にあたる折曲線を跨いで、切込が形成され、
前記折込部を折り込むことによって、前記切込が開いて、前記突出爪が形成される請求項１又は２に記載のカートンカバー。
【請求項４】
前記一対の長手側面部及び一対の短手側面部のうち、少なくとも何れかの内面に、前記天面部側に開いた、内反しを備える請求項１〜３の何れか一項に記載のカートンカバー。
【請求項５】
前記内反しが、長手側面部又は短手側面部毎に１又は複数備わる請求項４に記載のカートンカバー。
【請求項６】
前記一対の長手側面部及び一対の短手側面部のうち、少なくとも前記内反しを備えるものが、その下側で内側に折り込まれた折込部と、外側に現れている外面部と、を備える複層構造を有し、
前記折込部に、切込が形成され、
前記折込部を折り込むことによって、前記切込が開いて、前記内反しが形成される請求項４又は５に記載のカートンカバー。
【請求項７】
前記一対の長手側面部及び一対の短手側面部のうち、少なくとも何れかに、エンボス加工が施されている請求項１〜６の何れか一項に記載のカートンカバー。
【請求項８】
外面を覆う対象である前記カートンが、家庭用薄葉紙を収納する箱である請求項１〜７の何れか一項に記載のカートンカバー。
【発明の詳細な説明】
【技術分野】
【０００１】
本発明は、直方体の収納箱であるカートンの外面を覆うカートンカバーに関する。
【背景技術】
【０００２】
ティシュは、脱脂性や吸水性に優れ、清潔感があり、安価で、利便性があることから、鼻をかむ、口元を拭く、化粧を落とす、食品を包む又は置く、埃を掃う、汚れを拭き取る等のあらゆる用途に使用されている。ティシュは、現代の生活に密着した、なくてはならないものとなっており、多くの家庭では、各部屋毎に、更には自動車内にも、常備されている。
【０００３】
このようなティシュは、通常、厚紙で作られた直方体の箱（カートンともいう）に収納されて流通しており、そのカートンの外面には、その商品の出所や商品の機能を示す文字等が表現されている。この文字等は、販売者等と消費者とを結びつける上で重要な役割を果たすが、一方、消費者が購入した後には、必ずしも粋とはいえないそのデザインによって、配置場所の雰囲気にそぐわない場合がある。
【０００４】
そこで、従来より、カートンカバーが販売され、消費者のニーズを満足させている。カートンカバーとしては、木やプラスチックや金属を使用したシンプルでモダンなものや、布を使用して花柄等をあしらい色彩を駆使した派手で鮮やかなもの、等が知られる。これらは、ティシュペーパーカートンをインテリア足り得るものとするために、居室の雰囲気に合致させ溶け込ませるように、その視覚性を改善することに重きをおいた製品である。
【０００５】
又、紐や接着剤あるいはフック＆ストリップ等によって、壁掛けないしは釣り掛けを可能にしたカートンカバーがある。このような機能性を高めたものは、ティシュを、キッチンや洗面室あるいは自動車内に設置する際に、重用されている。更には、抗菌能力や、芳香あるいは脱臭、防虫の能力を付加し、ティシュを置くことによって部屋の衛生を向上させ得る製品も存在する。
【０００６】
カートンカバーにかかる技術の先行文献として、例えば特許文献１〜７を挙げることが出来る。特許文献１及び特許文献２に開示されたティシュペーパーボックス用カバーは、左右の短手側壁面部に係止爪を設けることによって、ボックスとカバーの一体性を高め、移動時にカバーからティシュペーパーボックスが外れないようにしたものである。特許文献３に開示されたティシュ製品ケースは、ティシュ製品を収納する収納部と、ティシュ製品を詰め替えるための収納部口と、ティシュを引き出すための取り出し孔と、を有することによって、無箱状のティシュ製品を繰り返し使用可能としたものである。特許文献４に開示されたティシュ箱用カバーは、カバーとして光触媒材料を用いることによって、消臭効果を発現させたものである。特許文献５に開示された詰替用ティシュボックスは、ティシュペーパー束の収容部と、ティシュペーパー束を収容部へ収容するための補充口と、ティシュペーパーの取出口と、を有し、更に補充用ティシュペーパーの包装袋の切断片取出口が形成されていることによって、ティシュペーパー束の乱れを防止しつつ簡単にティシュペーパー束を補充出来るものである。特許文献６に開示されたティシュボックス用カバーは、布素材のカバー本体と、凹凸状のティシュペーパー取り出すための引出口と、を備えることによって、枚数が少なくなってもティシュペーパーを引出口に保持され易くしたものである。特許文献７に開示されたティシュペーパーボックス用カバーは、前後の長手側壁面部を結合するための結合腕部及び結合腕受け部と、左右の短手側壁面部を折り込むと、を有することによって、容易に組み立て可能とした、少ない紙資源で得られるカバーである。
【０００７】
【特許文献１】特開平１０−２３４６１６号公報
【特許文献２】実用新案登録第３０４４４５９号公報
【特許文献３】特開２０００−３３９７８号公報
【特許文献４】実用新案登録第３０７４８３９号公報
【特許文献５】特開２００１−３４０２５７号公報
【特許文献６】特開２００４−１１５１１５号公報
【特許文献７】実用新案登録第３１０３５４６号公報
【発明の開示】
【発明が解決しようとする課題】
【０００８】
本発明は、このような事情の中でなされたものであり、本発明の課題は、従来のカバーが課題としてこなかった、掴み易いカートンカバーを提供することにあり、本発明は、全く新たな手段によって、この課題を解決しようとするものである。研究が重ねられた結果、以下に示す手段によって、上記課題が達成できることが見出された。
【課題を解決するための手段】
【０００９】
即ち、本発明によれば、カートンの外面を覆うカートンカバーであって、開口を有する天面部、一対の長手側面部、及び一対の短手側面部で構成され、その一対の長手側面部及び一対の短手側面部のうち、少なくとも何れかの下端に、突出爪を備えるカートンカバーが提供される。
【００１０】
天面部が有する開口は、カートンカバーで覆われるカートンの収容物を取り出すための取出口である。突出爪は、それが備わる長手側面部及び短手側面部の下端から、下方に突出する凸部である。一対の長手側面部及び一対の短手側面部のうち少なくとも何れか、であるから、一対の長手側面部及び一対の短手側面部の両方において、その下端に突出爪が備わっていてもよく、そのような態様は好ましい態様である。
【００１１】
本発明に係るカートンカバーにおいては、突出爪が、長手側面部又は短手側面部毎に複数備わることが好ましい。勿論、長手側面部又は短手側面部毎に１つ備わっていてもよい。
【００１２】
突出爪は、本発明に係るカートンカバーを置いたときに、置かれた場所（面）からカートンを浮かせる役割を果たすから、突出爪が、例えば長手側面部に備わる場合には、一対の長手側面部のそれぞれの同じ位置に備わることが好ましい。又、突出爪が、長手側面部又は短手側面部毎に複数備わる場合には、バランスよくカートンを浮かせるために、突出爪の形状・大きさは同一であることが好ましく、複数の突出爪を設ける位置は、長手側面部又は短手側面部の下端の長さ方向に間隔を均等にして配置されることが好ましい。
【００１３】
本発明に係るカートンカバーにおいては、一対の長手側面部及び一対の短手側面部のうち、少なくとも突出爪を備えるものが、その下側で内側に折り込まれた折込部と、外側に現れている外面部と、を備える複層構造を有し、折込部を伸ばし開き、折込部と外面部とで一平面を形成したときの、折込部と外面部との境界にあたる折曲線を跨いで、切込が形成され、折込部を折り込むことによって、切込が開いて、突出爪が形成されることが好ましい。
【００１４】
その下側とは、通常の使用態様において、折込部を備えている長手側面部及び短手側面部の下側を指し、天面部とは反対の側である。内側とは、カートンカバーの、天面部、一対の長手側面部、及び一対の短手側面部で囲われた空間の側を指し、内面とは、その空間の側の面を指す。折込部は、内側に折り込まれた部分であるから、カートンカバーの内面を構成する。カートンカバーの外面部にかかる外面は、内面の反対側の面であって、外側で露になっている面である。複層構造とは、折込部が折り込まれることによって、外面部と併せて、２以上の層になることを表現したものである。
【００１５】
本発明に係るカートンカバーにおいては、一対の長手側面部及び一対の短手側面部のうち、少なくとも何れかの内面に、天面部側に開いた、内反しを備えることが好ましい。
【００１６】
内反し（うちかえし）とは、釣り針の先端に内側に逆向きについている反し（かえし）のようなものである。内反しは天面部側に開いており、換言すれば、天面部側とは反対の、長手側面部及び短手側面部の下端の側において、内反しの根元が長手側面部及び短手側面部に着いている。
【００１７】
本発明に係るカートンカバーにおいては、内反しが、長手側面部又は短手側面部毎に１又は複数備わることが好ましい。
【００１８】
本発明に係るカートンカバーにおいては、一対の長手側面部及び一対の短手側面部のうち、少なくとも内反しを備えるものが、その下側で内側に折り込まれた折込部と、外側に現れている外面部と、を備える複層構造を有し、折込部に、切込が形成され、折込部を折り込むことによって、切込が開いて、内反しが形成されることが好ましい。
【００１９】
折込部はカートンカバーの内面を構成するから、折込部の切込を開くことで形成される内反しは、カートンカバーの内面に備わることになる。
【００２０】
本発明に係るカートンカバーにおいては、一対の長手側面部及び一対の短手側面部のうち、少なくとも何れかに、エンボス加工が施されていることが好ましい。
【００２１】
少なくとも何れか、であるから、一対の長手側面部及び一対の短手側面部の両方にエンボス加工が施されていてもよく、天面部、一対の長手側面部のうちの一方、一対の短手側面部のうちの一方にエンボス加工が施されていてもよい。より好ましい態様は、一対の長手側面部及び一対の短手側面部の両方にエンボス加工が施されているものである。
【００２２】
本明細書におけるエンボス加工とは、（カートンカバーの）表面に凹凸をつける加工のことをいう。エンボス加工は、カートンカバーが紙で形成される場合には、凹凸面を構成したキャビティを有する型を使用し、型押しすることによって行うことが出来る。これは、両面又は片面に押し罫を形成することに等しい。カートンカバーがプラスチック（ポリエチレンテレフタレート及び生分解性プラスチックを含む）で形成される場合には、成形の際に凹凸が形成されるような型を使用したり、紙と同様に成形後に型押ししてもよい。凹凸によって、文字、点字、絵柄、図形等を表すことが好ましい。
【００２３】
本発明に係るカートンカバーにおいては、外面を覆う対象であるカートンが、家庭用薄葉紙を収納する箱であることが好ましい。
【００２４】
本明細書において、家庭用薄葉紙とは、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙を総称する概念である。
【００２５】
本発明に係るカートンカバーは、通常の使用態様において、カートンの外面を上から覆うカバーである。本明細書において、外面を覆う対象であるカートンとは、木材パルプ、古紙等を原料とする厚紙等の紙材料を主原料としてなる、収納物を収容する箱（収納箱）をいう。但し、収容物自体は、本発明を特定する事項ではない。好ましい態様として、カートンの上面に開口が形成されているものを挙げることが出来る。この場合、その開口は、収納物の取出口に該当するものである。本発明に係るカートンカバーにおいても、カートンの開口に合わせて、天面部に開口を形成すればよい。この態様において、カートンの開口及びカートンカバーの開口は連通するので、カートンの外面をカートンカバーで覆ったときに、容易にカートンの中から収容物を取り出すことが出来る。カートンカバーの天面部に設けた開口に、スリットを形成したウインドウフィルムを取り付けることも好ましい態様の１つである。
【００２６】
本発明に係るカートンカバーにおいては、天面部が開口を有し、その開口を被覆するように配設されたウインドウフィルムを備え、そのウインドウフィルムにスリット（直線状の切れ目）が形成されていることが好ましい。
【００２７】
本発明に係るカートンカバーは、紙、ポリエチレンテレフタレート、ポリエチレン、ポリプロピレン、及び生分解性プラスチックのうち、何れかの材料で形成されていることが好ましい。又、これら材料に、布、撥水性布、和紙等を貼り合せたものを用いてもよい。更に、表面に、樹脂（フッ素樹脂）、高分子化合物、例えばポリエチレンテレフタレート、ポリテトラフルオロエチレン、ポリエチレン等をコーティングすることによって、耐水、耐油、撥水の機能を付加してもよい。
【００２８】
紙としては、白板紙、色板紙、黄色紙、古紙利用のチップボール等の紙器用板紙を用いることが好ましい。生分解性プラスチックは、バクテリアをはじめとする微生物、あるいは酵素等の作用によって分解されるプラスチックである。例えば、ポリ乳酸、ポリブチレンサクシネート、ポリブチレンアジペート、ポリエチレンサクシネート、ポリカプロラクトン、ポリビニルアルコール等を挙げることが出来る。
【発明の効果】
【００２９】
本発明に係るカートンカバーは、一対の長手側面部及び一対の短手側面部のうち、少なくとも何れかの下端に、突出爪を備えているので、このカートンカバーでカートンを覆って置かれている状態で、カートンカバー自体も（突出爪を除き）が載置面から浮いており、カートンカバーを掴み易い。確実に掴めるため、カートンカバーを落とすことがなく、落として床面を傷つけてしまうといった問題は生じない。加えて、カートンからカートンカバーを外す際に、突出爪を引っ掛けてカートンカバーを開くことが出来るので、カートンカバーを外し易い。
【００３０】
本発明に係るカートンカバーは、その好ましい態様において、突出爪が、長手側面部又は短手側面部毎に複数備わるので、安定して、（後述する内反しでカートンカバーに保持された）カートンを載置面から浮かすことが出来る。
【００３１】
本発明に係るカートンカバーは、その好ましい態様において、切込を形成し、その切込を開くことによって、突出爪を形成しているので、突出爪を別部品として作製し、接着するといった手間を要さない。よって、製造工程を簡素にすることが出来、低廉に作製することが可能である。又、突出爪は、カートンカバー自体から突出したものであるので、外れるといった使用中の問題も回避出来る。加えて、突出爪がカートンカバーと一体化しているので、目障りにならず、意匠性に優れる。
【００３２】
本発明に係るカートンカバーは、その好ましい態様において、一対の長手側面部及び一対の短手側面部のうち、少なくとも何れかの内面に、内反しを備えており、この内反しは天面部側に開いているので、天面部、一対の長手側面部、及び一対の短手側面部で構成されるカートンカバーでカートンの外面を上から覆うときに、容易に覆える。一方、覆った後に、カートンカバーはカートンから外れ難く、カートンカバーでカートンを保持することが可能である。これは、内反しが天面部側に開いていることから、覆うとき（カートンをカートンカバーに入れるとき）には、内反しの開きによる押圧がカートンにはたらき難く、滑らかに覆う（カートンをカートンカバーに入れる）ことが出来るのに対し、カートンカバーをカートンから外そうとすると、内反しの開きによる押圧がカートンにはたらくとともに、開いた内反しの先端がカートンの壁面に係合して、カートンからカートンカバーが外れるのを防ごうとする力がはたらくからである。即ち、内返しは、釣針の反しに類似する作用を発現するものである。
【００３３】
本発明に係るカートンカバーは、その好ましい態様において、内反しが、長手側面部又は短手側面部毎に複数備わるので、１つの場合よりカートンからカートンカバーを外れにくくすることが出来る。又、内反しの数の調整によって、カートンからカートンカバーが外れるのを防ごうとする力を調節することが可能であり、使用中にはカートンからカートンカバーが全く外れず、使用後には少しの力で容易にカートンからカートンカバーを外すことが出来る態様を実現することが出来る。
【００３４】
本発明に係るカートンカバーは、その好ましい態様において、切込を形成し、その切込を開くことによって内反しを形成しているので、内反しを別部品として作製し、接着するといった手間を要さない。よって、製造工程を簡素にすることが出来、低廉に作製することが可能である。又、内反しは、カートンカバー自体から突出したものであるので、外れるといった使用中の問題も回避出来る。加えて、内反しはカートンカバーの内側に隠れているので、目障りにならず、意匠性に優れる。
【００３５】
尚、特許文献１に開示されている係合爪は、本発明に係るカートンカバーの内反しと同様の効果を得ようとするものであると考えられるが、展開図（特許文献１の図２を参照）から明らかなように、特許文献１にいう壁面部の下縁の全体が係合爪になっており、この点において、内反しが、一対の長手側面部及び一対の短手側面部のうち少なくとも何れかの内面に、部分的に、１つ又は複数、備わる本発明に係るカートンカバーとは異なる。特許文献１に開示されている係合爪の態様では、下縁の全体が係合爪になっているので、ティシュペーパーボックスからティシュペーパーボックス用カバーが外れるのを防ごうとする力が強すぎて、外すのに大きな労力を要することになる。本発明に係るカートンカバーでは、内反しは、一対の長手側面部及び一対の短手側面部のうち少なくとも何れかの内面に部分的に備わるものにすぎないので、使用中にはカートンからカートンカバーが外れず、使用後には少しの力でカートンからカートンカバーを外すことが可能である。
【００３６】
本発明に係るカートンカバーは、その好ましい態様において、紙、ポリエチレンテレフタレート、ポリエチレン、ポリプロピレン、及び生分解性プラスチックのうち、何れかの材料で形成されているので、再利用が容易であり、廃棄物が低減され、環境負荷を軽減することが可能である。
【００３７】
本発明に係るカートンカバーは、その好ましい態様において、一対の長手側面部及び一対の短手側面部のうち、少なくとも何れかに、エンボス加工が施されているので、このエンボスを視覚的な及び触覚的な目印として、カートンカバーを触る人の行為を誘導することが出来る。例えば、把持して欲しい場所（把持し易い場所）にエンボス加工を施しておけば、人間は本能的に、他と異なる表面状態の当該エンボス加工が施された部分を触ろうとするから、把持場所を固定することが可能となる。又、エンボスを点字とすれば、盲目者の情報伝達に役立つ。更には、エンボス加工された部分は、把持する際の滑り止め効果も発現する。加えて、紙製のカートンカバーの場合には、エンボス加工を施すことによって、紙が部分的に圧縮され、層間剥離の発生（切れや破れの発生）を抑制するとともに、構造体としてのカートンカバーの強度向上が図れ、潰れや坐屈の発生を抑制する。
【発明を実施するための最良の形態】
【００３８】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００３９】
図１〜図１２は、本発明に係るカートンカバーの一の実施形態を示す図である。図１は、例えば白板紙からなる組立て式のカートンカバーを組み立てる前の展開図であり、カートンブランクを表した図である。図２は、図１に示されるカートンカバーの展開図の一部拡大図であり、展開した短手側面部１５の拡大図である。図３は、上方からみたカートンカバーの斜視図であり、図４は、下方からみたカートンカバーの斜視図である。図５は、図４に示されるカートンカバーを下方から見た斜視図の一部拡大図であり、突出爪６と内反し７を表した図である。図６は、カートンカバーの平面図（上面図）であり、図７は、カートンカバーの底面図（下面図、実際には底面そのものは存在しない）である。図８は、図６におけるＡＡ断面を示す断面（矢視）図であり、図９は、図６におけるＢＢ断面を示す断面（矢視）図である。図１０は、カートンカバーの正面図（長手側面を表した図、裏面も同じ）であり、図１１は、カートンカバーの左側面図（短手側面を表した図、右も同じ）である。図１２は、カートンがティシュペーパーカートン４１である場合の、本発明に係るカートンカバーの使用状態を示す図であり、図９に相当する断面図である。
【００４０】
図１〜図１２に示されるカートンカバー１０は、上面にティシュペーパーの取出口（開口）が形成されたティシュペーパーカートン４１の外面を上から覆うものである（図１２を参照）。このカートンカバー１０は、ティシュペーパーカートン４１の取出口に通じるように開口２１が形成された天面部１１、一対の長手側面部１２，１３、及び一対の短手側面部１４，１５で構成され、概ね直方体状を呈しており、（一例として）白板紙で形成されたものである。
【００４１】
カートンカバー１０では、長手側面部１２は、その下側で（図８及び図９を参照）内側に折り込まれた折込部２２と、外側に現れている外面部５２と、を備えている（図６〜図９を参照）。同様に、長手側面部１３は、その下側で内側に折り込まれた折込部２３と、外側に現れている外面部５３と、を備え、短手側面部１４は、その下側で（図８及び図９を参照）内側に折り込まれた折込部２４と、外側に現れている外面部５４と、を備え、短手側面部１５は、その下側で内側に折り込まれた折込部２５と、外側に現れている外面部５５と、を備え、それぞれ複層構造をなしている（図６〜図９を参照）。
【００４２】
図１と図７及び図８を対比させることで理解されるように、長手側面部１２の折込部２２は、長手側面部１２を折り込んで形成され、且つ、折込・伸開可能に設けられる。そして、折込部２２の先端（図１を参照）には、更に折り曲げられて天面部１１の内面の押圧をし得る押さえ代３２が備わる（図７を参照）。同様に、長手側面部１３の折込部２３は、長手側面部１３を折り込んで形成され、且つ、折込・伸開可能に設けられ、長手側面部１３の折込部２３の先端（図１を参照）には、更に折り曲げられて天面部１１の内面の押圧をし得る押さえ代３３が備わる（図４及び図７を参照）。
【００４３】
又、図１と図７及び図９を対比させることで理解されるように、短手側面部１４の折込部２４は、短手側面部１４を折り込んで形成され、且つ、折込・伸開可能に設けられ、短手側面部１４の折込部２４の先端（図１を参照）には、更に折り曲げられて天面部１１の内面の押圧をし得る押さえ代３４が備わる（図７を参照）。短手側面部１５の折込部２５は、長手側面部１５を折り込んで形成され、且つ、折込・伸開可能に設けられ、短手側面部１５の折込部２５の先端（図１を参照）には、更に折り曲げられて天面部１１の内面の押圧をし得る押さえ代３５が備わる（図４及び図７を参照）。押さえ代３４，３５は、短手側であるので分割されていないが、上記した長手側の押さえ代３２，３３は、３つに分かれて形成されている。
【００４４】
カートンカバー１０は、短手側面部１４，１５のそれぞれの下端の中央部分に、各々１つの突出爪６を備えている。この突出爪６は、短手側面部１４，１５の下端から下方に突出する凸部であり、この突出爪６が備わることによって、カートンカバー１０は、載置面から（突出爪６を除き）少し浮いて置かれるようになる。
【００４５】
カートンカバー１０の突出爪６は、カートンカバー１０自体に切込を入れ、その切込を開いて形成したものである。具体的には、図１及び図２に示される展開したカートンブラックの状態（即ち、短手側面部１５の折込部２５を伸ばし開いて折込部２５と外面部５５とで一平面を形成した状態）において、短手側面部１５の側では、折込部２５と外面部５５との境界にあたる折曲線６１（押し罫）を跨いで、折込部２５側から外面部５５側へ突き出るような円弧状の切込１７を形成しておく。そうすると、折込部２５を折り込んだ際に、切込１７が開くことによって、突出爪６が形成される。短手側面部１４の側でも同様であり、短手側面部１４の折込部２４を伸ばし開いて折込部２４と外面部５４とで一平面を形成した状態において、折込部２４と外面部５４との境界にあたる折曲線６１（押し罫）を跨いで、折込部２４側から外面部５４側へ突き出るような円弧状の切込１７を形成しておく。そうすると、折込部２４を折り込んだ際に、切込１７が開くことによって、突出爪６が形成される。
【００４６】
カートンカバー１０は、短手側面部１４，１５のそれぞれの内面に、各々１つの内反し７を備えている。この内反し７は、カートンカバー１０自体に切込を入れ、その切込を開いて形成したものである。具体的には、図１及び図２に示される展開したカートンブラックの状態において、短手側面部１５の側において、折込部２５に、切込１７とは反対側（押さえ代３５の側）を向いた円弧状の切込１６を形成しておく。そうすると、折込部２５を折り込んだ際に、切込１６が少し開いて、内反し７が形成される。短手側面部１４の側でも同様であり、カートンブラックの状態において、折込部２４に、切込１７とは反対側（押さえ代３４の側）を向いた円弧状の切込１６を形成しておく。そうすると、折込部２４を折り込んだ際に、切込１６が少し開いて、内反し７が形成される。
【００４７】
切込１６によって形成された内反し７は、天面部１１の側に開いており、天面部１１の側とは反対の、短手側面部１４，１５の下端の側において、内反し７は短手側面部１４，１５自体に着いている。この内反し７が備わることによって、カートンカバー１０は、例えばティシュペーパーカートン４１から外れ難くなり、カートンカバー１０でティシュペーパーカートン４１を保持することが可能になる（図１２を参照）。一方、内反し７は天面部１１の側に開いているので、カートンカバー１０でティシュペーパーカートン４１の外面を上から覆うときには、容易に行える。
【００４８】
カートンカバー１０の長手側面部１２，１３及び短手側面部１４，１５は、それぞれエンボス加工が施されたエンボス加工部を有する。長手側面部１２，１３のエンボス加工部４２，４３は凹みによって表されており、閉じた輪郭線の中に形成された、長手側面部における横方向（Ｘ軸方向）に向いた多数の平行線で構成されている（図１、図３、図１０を参照）。短手側面部１４，１５のエンボス加工部４４，４５も凹みによって表されており、短手側面部における横方向（Ｙ軸方向）に向いた多数の平行線で構成され、エンボス加工部４４，４５の一部は、天面部１１にまで延長されている（図１、図３、図６、図１１を参照）。
【００４９】
カートンカバー１０は、（一例として）以下の方法によって製造することが出来る。先ず、白板紙を用意し、これを所定形状に切断し、切込１６，１７を形成して、カートンブランクを得る（図１を参照）。このとき、併せて、長手側面部１２，１３に、切込５０ａ，５０ｂ，５０ｃ，５０ｄを形成した係合部５１ａ，５１ｂ，５１ｃ，５１ｄを設けておくとともに、押し型によって、折り曲げをするための折曲線（図１において破線で示された部分）を形成する。
【００５０】
次いで、カートンブランクを折曲線に沿って折り曲げて組み立てていく。天面部１１に対して、長手側面部１２，１３及び短手側面部１４，１５を、それぞれ折り曲げる。そして、長手側面部１２から係合部５１ａ，５１ｂをそれぞれ折り曲げ、長手側面部１３から係合部５１ｃ，５１ｄをそれぞれ折り曲げた後に、切込５０ａと切込５０ｃを嵌め合わせて係合部５１ａと係合部５１ｃとを係合させ、同様にして、切込５０ｂと切込５０ｄを嵌め合わせて係合部５１ｂと係合部５１ｄとを係合させる。
【００５１】
その後、既述のように、折込部を折り込む。即ち、長手側面部１２，１３に備わる折込部２２，２３をそれぞれ内側に折り込み、それぞれの押さえ代３２，３３によって天面部１１を押圧する。同様にして、短手側面部１４，１５に備わる折込部２４，２５をそれぞれ内側に折り込み、それぞれの押さえ代３４，３５によって天面部１１を押圧する。押さえ代３２，３３，３４，３５で天面部１１の押圧をすることによって、折込部２２，２３，２４，２５が伸び開かないようになる。そして、既述のように、折込部２４，２５を折り込むことによって、突出爪６及び内反し７が形成される。以上によって、カートンカバー１０を得ることが出来る。
【００５２】
図１２に示されるように、カートンカバー１０でティシュペーパーカートン４１を覆った場合、ティシュペーパーカートン４１の上面に備わるティシュペーパー４０の取出口（開口）と、カートンカバー１０の開口２１（図１２に併せて図６を参照）は重なって連通する。従って、ティシュペーパー４０を、カートンカバー１０で覆ったティシュペーパーカートン４１の中から、カートンカバー１０の外へ、取り出すことが可能である。そして、カートンカバー１０の開口２１に、スリットが形成されたウインドウフィルムを設けておけば、そのスリットによって、次に取り出されるべきティシュペーパー４０を保持することが可能である。
【００５３】
次に、図１３〜図１５は、本発明に係るカートンカバーの他の実施形態を示す図である。図１３は、既述の（カートンカバー１０における）図２に対応した図であり、カートンカバーの展開図の一部拡大図であって展開した短手側面部１１５の拡大図である。図１４は、既述の（カートンカバー１０における）図５に対応した図であり、カートンカバーを下方から見た斜視図の一部拡大図であって突出爪１０６と内反し１０７を表した図である。図１５は、既述の（カートンカバー１０における）図３の一部に対応した図であり、上方からみたカートンカバーの短手側面部１１４のみを表した斜視図である。
【００５４】
図３と図１５を比較して理解出来るように、突出爪１０６は、既述のカートンカバー１０の突出爪６に比して大きい。この突出爪１０６は、突出爪６と同様に、短手側面部１１４，１１５を有するカートンカバーの当該短手側面部１１４，１１５の下端から下方に突出する凸部であり、突出爪１０６が備わることによって、カートンカバーは、載置面から（突出爪１０６を除き）少し浮いて置かれるようになる。
【００５５】
突出爪１０６は、カートンカバー自体に切込を形成し、その切込を開いて形成したものである。具体的には、図１３に示される展開したカートンブラックの状態（即ち、短手側面部１１５の折込部１２５を伸ばし開いて折込部１２５と外面部１５５とで一平面を形成した状態）において、短手側面部１１５の側では、折込部１２５と外面部１５５との境界にあたる折曲線１６１（押し罫）を跨いで、折込部１２５側から外面部１５５側へ突き出るような円弧状の切込１１７を形成しておく。そうすると、折込部１２５を折り込んだ際に、切込１１７が開くことによって、突出爪１０６が形成される。図１３には示さない（反対側の）短手側面部１１４（図１５を参照）の側でも同様である。
【００５６】
内反し１０７は、カートンカバー自体に切抜１１６を入れ、その切抜１１６を形成する一辺が開くことによって形成されたものである。具体的には、図１３に示される展開したカートンブラックの状態において、短手側面部１１５の側において、折込部１２５に、切込１１７とは反対側（押さえ代１３５の側）を向いた弓状の切抜１１６を形成しておく。そうすると、折込部１２５を折り込んだ際に、切抜１１６を形成する辺のうち（図１３中の）左側の辺（双子山状の辺）が少し開いて、内反し１０７が形成される。図１３には示さない（反対側の）短手側面部１１４（図１５を参照）の側でも同様である。
【００５７】
切抜１１６によって形成された内反し１０７は、既述のカートンカバー１０の内反し７と同様に、天面部の側に開いており、天面部の側とは反対の、短手側面部１１４，１１５の下端の側において、内反し１０７は短手側面部１１４，１１５自体に着いている。この内反し１０７が備わることによって、カートンカバーは、例えばティシュペーパーカートンから外れ難くなり、カートンカバーでティシュペーパーカートンを保持することが可能になる。一方、内反し１０７は天面部の側に開いているので、カートンカバーでティシュペーパーカートンの外面を上から覆うときには、容易に行える。
【産業上の利用可能性】
【００５８】
本発明に係るカートンカバーは、ティシュペーパー、キッチンペーパー等のペーパータオル、シート状のトイレットペーパー、ワッティング（紙綿）等を収納するカートンの外面を覆って、居室の雰囲気に合致させ溶け込ませるようにカートンの視覚性を改善する等の役割を果たすカートンカバーとして、好適に利用出来る。
【図面の簡単な説明】
【００５９】
【図１】本発明に係るカートンカバーの一の実施形態を示す図であり、カートンカバーを組み立てる前のカートンブランクの状態の展開図である。
【図２】図１に示されるカートンカバーの展開図の一部拡大図である。
【図３】本発明に係るカートンカバーの一の実施形態を示す図であり、上方からみたカートンカバーの斜視図である。
【図４】本発明に係るカートンカバーの一の実施形態を示す図であり、下方からみたカートンカバーの斜視図である。
【図５】図４に示されるカートンカバーを下方から見た斜視図の一部拡大図である。
【図６】本発明に係るカートンカバーの一の実施形態を示す図であり、カートンカバーの平面図である。
【図７】本発明に係るカートンカバーの一の実施形態を示す図であり、カートンカバーの底面図である。
【図８】図６におけるＡＡ断面を示す断面（矢視）図である。
【図９】図６におけるＢＢ断面を示す断面（矢視）図である。
【図１０】本発明に係るカートンカバーの一の実施形態を示す図であり、カートンカバーの正面図である。
【図１１】本発明に係るカートンカバーの一の実施形態を示す図であり、カートンカバーの左側面図である。
【図１２】本発明に係るカートンカバーの一の実施形態を示す図であり、使用状態を示す断面図である。
【図１３】本発明に係るカートンカバーの他の実施形態を示す図であり、カートンカバーの展開図の一部拡大図である。
【図１４】本発明に係るカートンカバーの他の実施形態を示す図であり、カートンカバーを下方から見た斜視図の一部拡大図である。
【図１５】本発明に係るカートンカバーの他の実施形態を示す図であり、上方からみたカートンカバーの一部を示す斜視図である。
【符号の説明】
【００６０】
６，１０６  突出爪
７，１０７  内反し
１０  カートンカバー
１１  天面部
１２，１３  長手側面部
１４，１５，１１４，１１５  短手側面部
１６  切込
１７，１１７  切込
２１  開口
２２，２３  （長手側面部の）折込部
２４，２５，１２５  （短手側面部の）折込部
３２，３３  （長手側面部の折込部の）押さえ代
３４，３５，１３５  （短手側面部の折込部の）押さえ代
４０  ティシュペーパー
４１  ティシュペーパーカートン
４２，４３  （長手側面部の）エンボス加工部
４４，４５  （短手側面部の）エンボス加工部
５０ａ，５０ｂ，５０ｃ，５０ｄ  切込
５１ａ，５１ｂ，５１ｃ，５１ｄ  係合部
５２，５３  （長手側面部の）外面部
５４，５５，１５５  （短手側面部の）外面部
６１，１６１  折曲線
１１６  切抜
【図１】
2008207833.tif 000003
【図２】
2008207833.tif 000004
【図３】
2008207833.tif 000005
【図４】
2008207833.tif 000006
【図５】
2008207833.tif 000007
【図６】
2008207833.tif 000008
【図７】
2008207833.tif 000009
【図８】
2008207833.tif 000010
【図９】
2008207833.tif 000011
【図１０】
2008207833.tif 000012
【図１１】
2008207833.tif 000013
【図１２】
2008207833.tif 000014
【図１３】
2008207833.tif 000015
【図１４】
2008207833.tif 000016
【図１５】
2008207833.tif 000017